(57)【要約】【課題】ＭＩＭＯを改善してＵＥのシステムエラーを回避するため、ＭＩＭＯを適時に終了する方法及び装置を提供する。【解決手段】方法は、ＭＩＭＯを起動する段階と、セル更新プロセスが起動された場合にＭＩＭＯを終了する段階とを含む。【選択図】図３
2008178104.tif 000002
【特許請求の範囲】
【請求項１】
無線通信システムのＵＥ（ユーザー端末）においてＭＩＭＯ（多重入出力）を改善するＭＩＭＯ改善方法であって、
ＭＩＭＯを起動する段階と、
セル更新プロセスが起動された場合にＭＩＭＯを終了する段階とを含むことを特徴とするＭＩＭＯ改善方法。
【請求項２】
前記セル更新プロセスは、無線リンク障害（ＲＬＦ）、無線リンク回復不能エラー、またはＵＥキャパビリティー情報メッセージの送信失敗が発生した場合に起動されることを特徴とする請求項１に記載のＭＩＭＯ改善方法。
【請求項３】
前記ＭＩＭＯを起動する段階は、ＭＩＭＯ＿ＳＴＡＴＵＳ変数に基づいてＭＩＭＯを起動することを特徴とする請求項１に記載のＭＩＭＯ改善方法。
【請求項４】
前記ＭＩＭＯを終了する段階は、
ＭＩＭＯ＿ＳＴＡＴＵＳ変数を除去する段階と、
ＭＩＭＯを終了するように下位層を制御する段階を含むことを特徴とする請求項１に記載のＭＩＭＯ改善方法。
【請求項５】
無線通信システムにおいてＭＩＭＯを改善し、システムエラーを回避する通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、該プログラムコードは、
ＭＩＭＯを起動するコードと、
セル更新プロセスが起動された場合にＭＩＭＯを終了するコードとを含むことを特徴とする通信装置。
【請求項６】
前記セル更新プロセスは、無線リンク障害（ＲＬＦ）、無線リンク回復不能エラー、またはＵＥキャパビリティー情報メッセージの送信失敗が発生した場合に起動されることを特徴とする請求項５に記載の通信装置。
【請求項７】
前記ＭＩＭＯを起動するコードは、ＭＩＭＯ＿ＳＴＡＴＵＳ変数に基づいてＭＩＭＯを起動することを特徴とする請求項５に記載の通信装置。
【請求項８】
前記ＭＩＭＯを終了するコードは、
ＭＩＭＯ＿ＳＴＡＴＵＳ変数を除去するコードと、
ＭＩＭＯを終了するように下位層を制御するコードを含むことを特徴とする請求項５に記載の通信装置。
【発明の詳細な説明】
【技術分野】
【０００１】
本発明は無線通信システムにおいてＭＩＭＯ（多重入出力）を改善する方法及び装置に関し、特に無線通信システムのＵＥ（ユーザー端末）においてＭＩＭＯを適時に終了する方法及び装置に関する。
【背景技術】
【０００２】
第三世代移動通信技術はＷＣＤＭＡ（広帯域多元分割接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。第三世代移動通信システムでは動画鑑賞、電話会議、オンラインゲーム、オンラインミュージック再生、電子メールを楽しむことができる。もっとも、これらの機能は迅速かつ実時間のデータ送信機能に頼る。帯域幅の利用効率とパケットデータの処理効率を向上させ、上り・下りの送信速度を改善するため、従来の第三世代移動通信技術にはＨＳＤＰＡ（高速ダウンリンクパケットアクセス）とＨＳＵＰＡ（高速アップリンクパケットアクセス）が導入された。
【０００３】
ダウンリンクのデータ送信速度を改善するため、３ＧＰＰによりＭＩＭＯが導入された。ＭＩＭＯは、ＵＥと基地局が多重アンテナを通して無線信号を発信することを許容し、それに空間多重化、ビーム形成、空間ダイバシティーなどの技術を同時に利用すれば、信号干渉を減少してチャネル容量を増加することができる。ＭＩＭＯは主としてＨＳＤＰＡシステムで利用され、ＨＳ−ＤＳＣＨ（高速ダウンリンク共用チャネル）の最大データ率を有効に向上させることができる。従来の無線資源制御（ＲＲＣ）の観点からみれば、ＭＩＭＯはＣＥＬＬ＿ＤＣＨ（セル専用チャネル）状態のＵＥにのみ適用できる。
【０００４】
３ＧＰＰが制定したＲＲＣプロトコルによれば、ＵＴＲＡＮ（汎用地上波無線アクセスネットワーク）はＲＲＣメッセージと情報要素（ＩＥ）を生成し、これをＲＲＣ再設定メッセージに載せて、ＲＲＣプロセスでＭＩＭＯパラメータをＵＥに送信する。一方、ＵＥには受信したパラメータを保存するためのＭＩＭＯ＿ＳＴＡＴＵＳ変数がある。ＭＩＭＯを起動するとき、ＵＥはＭＩＭＯ＿ＳＴＡＴＵＳ変数のパラメータに基づいて下位層のＭＩＭＯを制御する。
【０００５】
ＭＩＭＯを実行するとき、無線リンク障害（ＲＬＦ）、無線リンク回復不能エラー（ＲＬＣ  ｕｎｒｅｃｏｖｅｒａｂｌｅ  ｅｒｒｏｒ）、またはＵＥキャパビリティー情報メッセージの送信失敗が発生した場合では、ＵＥはセル更新プロセスでシステムを回復する。セル更新プロセスでは、ＵＥはＣＥＬＬ＿ＦＡＣＨ（セルフォワードアクセスチャネル）状態に入って好適なセルを再選択する。言い換えれば、ＵＥはＣＥＬＬ＿ＤＣＨ（セル専用チャネル）状態からＣＥＬＬ＿ＦＡＣＨ状態に入る。
【０００６】
しかし、ＭＩＭＯはＣＥＬＬ＿ＤＣＨ状態のＵＥにのみ適用される。また、現在の規格ではＵＥがＣＥＬＬ＿ＤＣＨ状態から離れた後の動作について何も規定されていない。したがって、この場合ではＵＥが故障するおそれがある。
【発明の開示】
【発明が解決しようとする課題】
【０００７】
本発明の第１の形態は、ＭＩＭＯを改善してＵＥのシステムエラーを回避するため、ＭＩＭＯ を適時に終了する方法及び装置を提供することを課題とする。
【課題を解決するための手段】
【０００８】
本発明の第２の形態は、無線通信システムのＵＥ（ユーザー端末）においてＭＩＭＯ（多重入出力）を改善する方法を提供する。該方法は、ＭＩＭＯを起動する段階と、セル更新プロセスが起動された場合にＭＩＭＯを終了する段階とを含む。
【０００９】
本発明の第３の形態は、無線通信システムにおいてＭＩＭＯを改善し、システムエラーを回避する通信装置を提供する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。該プログラムコードは、ＭＩＭＯを起動するコードと、セル更新プロセスが起動された場合にＭＩＭＯを終了するコードとを含む。
【発明の効果】
【００１０】
本発明の第４の形態は、ＵＥでセル更新プロセスが起動された場合にＭＩＭＯを終了し、下位層のエラーを回避することができる。
【発明を実施するための最良の形態】
【００１１】
かかる方法及び装置の特徴を詳述するために、具体的な実施例を挙げ、図を参照にして以下に説明する。
【００１２】
図１を参照する。図１は無線通信システムに設けられる無線通信装置１００のブロック図である。説明を簡素化するため、図１では無線通信装置１００の入力装置１０２、出力装置１０４、制御回路１０６、ＣＰＵ（中央処理装置）１０８、記憶装置１１０、プログラムコード１１２及びトランシーバー１１４のみ描かれている。無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現するものである。無線通信装置１００は望ましくは第三世代移動通信システムの高速パケットアクセスシステムに用いられ、ＭＩＭＯ機能をサポートする。
【００１３】
図２を参照する。図２は、図１に示すプログラムコード１１２を表す説明図である。プログラムコード１１２は、アプリケーション層２００と、第三層２０２と、第一層２１８と接続される第二層２０６を備える。第三層２０２には、第一層２１８と第二層２０６を制御するＲＲＣメッセージと情報要素（ＩＥ）を受信・形成し、または他の通信装置（基地局またはＵＴＲＡＮ）とＲＲＣ信号を交換するＲＲＣエンティティー２２２が設けられている。なお、ＲＲＣエンティティー２２２は無線通信装置１００のＲＲＣ状態を変更することができる。つまり、ネットワークや通信環境の変化に応じて無線通信装置１００のＲＲＣ状態をアイドリング状態、ＣＥＬＬ＿ＰＣＨ（セルページングチャネル）状態、ＵＲＡ＿ＰＣＨ（ＵＴＲＡＮ登録領域ページングチャネル）状態、ＣＥＬＬ＿ＦＡＣＨ状態、またはＣＥＬＬ＿ＤＣＨ状態にする。
【００１４】
無線通信装置１００は望ましくは再設定メッセージを受信し、ＭＩＭＯ＿ＳＴＡＴＵＳ変数でＭＩＭＯパラメータＩＥに含まれたパラメータを保存する。それに鑑みて、本実施例は、上記プログラムコード１１２にＭＩＭＯ管理プログラムコード２２０を設け、ＭＩＭＯを改善する。図３を参照する。図３は、本実施例による方法３０のフローチャートである。以下に示すステップ３００〜ステップ３０６を含む方法３０は、無線通信システムのＵＥにおいてＭＩＭＯを改善するに用いられ、ＭＩＭＯ管理プログラムコード２２０としてコンパイルすることができる。
【００１５】
ステップ３００：開始。
ステップ３０２：ＭＩＭＯを起動する。
ステップ３０４：セル更新プロセスが起動された場合にＭＩＭＯを終了する。
ステップ３０６：終了。
【００１６】
以上のとおり、ＵＥはＭＩＭＯ＿ＳＴＡＴＵＳ変数のパラメータＩＥに基づいて、ＭＩＭＯを起動するように下位層（例えば第一層２１８と第二層２０６）を制御する。ＭＩＭＯを実行するときに、無線リンク障害（ＲＬＦ）、無線リンク回復不能エラー、またはＵＥキャパビリティー情報メッセージの送信失敗が発生した場合では、ＵＥはセル更新プロセスを起動し、ＣＥＬＬ＿ＤＣＨ状態からＣＥＬＬ＿ＦＡＣＨ状態に入る。その後、ＵＥはＭＩＭＯ＿ＳＴＡＴＵＳ変数を除去してＭＩＭＯを終了するように下位層を制御し、ＭＩＭＯを正確に終了する。
【００１７】
以上は本発明の好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００１８】
本発明は従来の動作条件を変更したのみであり、実施可能である。
【図面の簡単な説明】
【００１９】
【図１】本発明による無線通信装置のブロック図である。
【図２】図１に示すプログラムコードを表す説明図である。
【図３】本発明による方法のフローチャートである。
【符号の説明】
【００２０】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  ＭＩＭＯ管理プログラムコード
２２２  ＲＲＣエンティティー
【図１】
2008178104.tif 000003
【図２】
2008178104.tif 000004
【図３】
2008178104.tif 000005